(57)【特許請求の範囲】
【請求項１】
繰出装置（３０）は、繰出部（３１）と、該繰出部（３１）の上部に取り付けられ、前後方向に長く構成された肥料ホッパー（３４）と、該繰出部（３１）の下部に取り付けられ、肥料を農作物の根元に案内し、吐出口から肥料を吐出する可撓式の繰出パイプ（３５）とを具備し、該繰出装置（３０）を、管理機（１）の進行方向に対して左右に複数装着し、左右方向に間隔変更可能とした追肥機（３）において、前記繰出部（３１）は、一つの肥料ホッパー（３４）に対して、前繰出部（３２）と後繰出部（３３）の２つを構成し、該前繰出部（３２）と後繰出部（３３）とを、前記一つの肥料ホッパー（３４）の下部に前後方向に配置し、該前繰出部（３２）と後繰出部（３３）の間には  両者の連動機構として、前ギヤ（３２ｆ）と後ギヤ（３３ｆ）を具備し、前記繰出装置（３０）は、農作物の条数に応じて、施肥条数を選択する施肥条数選択手段を備え、前記施肥条数選択手段は、前記肥料ホッパー（３４）の下部で、前記前繰出部（３２）と後繰出部（３３）との間に配置し、別々に開閉可能な前シャッター（３２ｄ）と後シャッター（３３ｄ）により構成し、前記繰出装置（３０）は、前記ガイド体の吐出口の吐出位置を調節する条間調節手段を備え、該条間調節手段は、可撓式の繰出パイプ（３５）が兼用し、該可撓式の繰出パイプ（３５）は、前繰出部（３２）の下方の前ロート（３８）に付設した前繰出パイプ（３６）と、後繰出部（３３）の下方の後ロート（３９）に付設された後繰出パイプ（３７）とにより構成し、該前繰出パイプ（３６）を位置決めする前繰出パイプ取付具（４０）と、後繰出パイプ（３７）を位置決めする後繰出パイプ取付具（４１）とを、追肥機（３）機体から後斜め下方に延出し、該前繰出パイプ取付具（４０）と後繰出パイプ取付具（４１）は、金属製の棒状部材であって、先端には前繰出パイプ（３６）と後繰出パイプ（３７）を内挿可能なリング状に形成したことを特徴とする追肥機。
【発明の詳細な説明】
【技術分野】
【０００１】
本発明は、管理機に装着する走行型追肥機の技術に関する。
【背景技術】
【０００２】
従来、走行型追肥機の技術は公知となっている。例えば、特許文献１に記載のとおりである。繰出部と、該繰出部の上部に取り付けられた肥料ホッパーと、該繰出部の下部に取り付けられた繰出パイプと、を備える繰出装置を進行方向に対して左右に複数有する、管理機に装着する走行型追肥機では、繰出装置の肥料ホッパーの容量を大きくするために、肥料ホッパーを左右方向に長く構成している。
【特許文献１】特開平４−４８０８号公報
【発明の開示】
【発明が解決しようとする課題】
【０００３】
しかし、肥料ホッパーを左右方向に長く構成して容量を大きくする場合、繰出装置の左右の配置間隔を広げないままでは、左右の肥料ホッパーの間隔が狭くなるため、管理機の種類によっては、ハンドル等が干渉して、追肥機を装着できないことがある。そして、追肥機の装着を考慮することにより、管理機のハンドルやトランスミッション等の配置の自由度が制限されることにもなる。一方、肥料ホッパーを左右方向に長く構成して容量を大きくしても、繰出装置の左右の配置間隔を広げることにより、管理機へ装着することが可能な場合がある。しかし、この場合、繰出部が管理機本機から離れることになるため、農作物の根元に施肥するために、繰出部の下部に取り付けられている繰出パイプを長くする必要があり、繰出パイプを長くすると繰出パイプ内で肥料が詰まる等して肥料の流れが悪くなる可能性が高くなる。
【０００４】
本発明は以上の状況に鑑み、肥料の繰出性能を阻害することがなく、肥料ホッパーの大容量化が図れるとともに管理機の種類を選ばずに装着できる追肥機を提供する。
【課題を解決するための手段】
【０００５】
本発明の解決しようとする課題は以上のとおりであり、次にこの課題を解決するための手段を説明する。
【０００６】
繰出装置（３０）は、繰出部（３１）と、該繰出部（３１）の上部に取り付けられ、前後方向に長く構成された肥料ホッパー（３４）と、該繰出部（３１）の下部に取り付けられ、肥料を農作物の根元に案内し、吐出口から肥料を吐出する可撓式の繰出パイプ（３５）とを具備し、該繰出装置（３０）を、管理機（１）の進行方向に対して左右に複数装着し、左右方向に間隔変更可能とした追肥機（３）において、前記繰出部（３１）は、一つの肥料ホッパー（３４）に対して、前繰出部（３２）と後繰出部（３３）の２つを構成し、該前繰出部（３２）と後繰出部（３３）とを、前記一つの肥料ホッパー（３４）の下部に前後方向に配置し、該前繰出部（３２）と後繰出部（３３）の間には  両者の連動機構として、前ギヤ（３２ｆ）と後ギヤ（３３ｆ）を具備し、前記繰出装置（３０）は、農作物の条数に応じて、施肥条数を選択する施肥条数選択手段を備え、前記施肥条数選択手段は、前記肥料ホッパー（３４）の下部で、前記前繰出部（３２）と後繰出部（３３）との間に配置し、別々に開閉可能な前シャッター（３２ｄ）と後シャッター（３３ｄ）により構成し、前記繰出装置（３０）は、前記ガイド体の吐出口の吐出位置を調節する条間調節手段を備え、該条間調節手段は、可撓式の繰出パイプ（３５）が兼用し、該可撓式の繰出パイプ（３５）は、前繰出部（３２）の下方の前ロート（３８）に付設した前繰出パイプ（３６）と、後繰出部（３３）の下方の後ロート（３９）に付設された後繰出パイプ（３７）とにより構成し、該前繰出パイプ（３６）を位置決めする前繰出パイプ取付具（４０）と、後繰出パイプ（３７）を位置決めする後繰出パイプ取付具（４１）とを、追肥機（３）機体から後斜め下方に延出し、該前繰出パイプ取付具（４０）と後繰出パイプ取付具（４１）は、金属製の棒状部材であって、先端には前繰出パイプ（３６）と後繰出パイプ（３７）を内挿可能なリング状に形成したものである。
【発明の効果】
【０００７】
本発明の効果として、以下に示すような効果を奏する。
【０００８】
請求項１に記載の如く、繰出装置（３０）は、繰出部（３１）と、該繰出部（３１）の上部に取り付けられ、前後方向に長く構成された肥料ホッパー（３４）と、該繰出部（３１）の下部に取り付けられ、肥料を農作物の根元に案内し、吐出口から肥料を吐出する可撓式の繰出パイプ（３５）とを具備し、該繰出装置（３０）を、管理機（１）の進行方向に対して左右に複数装着し、左右方向に間隔変更可能とした追肥機（３）において、前記繰出部（３１）は、一つの肥料ホッパー（３４）に対して、前繰出部（３２）と後繰出部（３３）の２つを構成し、該前繰出部（３２）と後繰出部（３３）とを、前記一つの肥料ホッパー（３４）の下部に前後方向に配置し、該前繰出部（３２）と後繰出部（３３）の間には  両者の連動機構として、前ギヤ（３２ｆ）と後ギヤ（３３ｆ）を具備し、前記繰出装置（３０）は、農作物の条数に応じて、施肥条数を選択する施肥条数選択手段を備え、前記施肥条数選択手段は、前記肥料ホッパー（３４）の下部で、前記前繰出部（３２）と後繰出部（３３）との間に配置し、別々に開閉可能な前シャッター（３２ｄ）と後シャッター（３３ｄ）により構成し、前記繰出装置（３０）は、前記ガイド体の吐出口の吐出位置を調節する条間調節手段を備え、該条間調節手段は、可撓式の繰出パイプ（３５）が兼用し、該可撓式の繰出パイプ（３５）は、前繰出部（３２）の下方の前ロート（３８）に付設した前繰出パイプ（３６）と、後繰出部（３３）の下方の後ロート（３９）に付設された後繰出パイプ（３７）とにより構成し、該前繰出パイプ（３６）を位置決めする前繰出パイプ取付具（４０）と、後繰出パイプ（３７）を位置決めする後繰出パイプ取付具（４１）とを、追肥機（３）機体から後斜め下方に延出し、該前繰出パイプ取付具（４０）と後繰出パイプ取付具（４１）は、金属製の棒状部材であって、先端には前繰出パイプ（３６）と後繰出パイプ（３７）を内挿可能なリング状に形成したので、肥料ホッパーの大容量化が図れるとともに、管理機の種類を選ばずに装着できる。そして、管理機のハンドルやトランスミッション等の配置の自由度が制限されることがない。
【０００９】
また、繰出部が管理機本機から離れることがなく、ガイド体を長くする必要がないため、肥料の繰出性能を阻害することがない。
【００１０】
また、走行速度に同調して繰り出すことができるため、均一に施肥することができる。
【００１１】
また、走行速度に同調して繰り出すことができるため、均一に施肥することができるとともに、追肥機を管理機に装着して、畝を跨いで走行することができるため、走行輪や接地輪により畝を踏みつけたり、管理機や追肥機の下部が畝に接触したりして畝をつぶすことがない。
【００１２】
また、一つの繰出装置で二条施肥が可能となる。
【００１３】
また、施肥条数を選択することにより、農作物の条数に応じて、施肥条数を切り替えることができる。
【００１４】
また、シャッターを開閉させることにより、農作物の条数に応じて、施肥条数を容易に切り替えることができる。
【００１５】
また、ガイド体の吐出口の吐出位置を調節することにより、農作物の根元に確実に施肥できる。
【００１６】
また、ガイド体が条間調節手段を兼ねることにより、条間調節手段を別に設ける必要がなく、繰出部から繰り出された肥料を農作物の根元に案内するとともに、農作物の根元に確実に施肥できる。
【００１７】
また、全ての繰出部の繰出量を均等にすることができることにより、均一に施肥することができる。また、繰出部のそれぞれに駆動手段を設ける必要がないため経済的である。
【発明を実施するための最良の形態】
【００１８】
次に、発明の実施の形態を説明する。
【００１９】
図１は本発明に係る追肥機を管理機に装着した状態を示した側面図である。
【００２０】
図２は本発明に係る追肥機の繰出装置の配置を模式的に示した平面図である。
【００２１】
図３は繰出部を示した側面図である。
【００２２】
図４は従来の追肥機の繰出装置の配置を模式的に示した平面図である。
【００２３】
まず、図１において、本発明に係る追肥機３を管理機１に装着した場合の全体構成について説明する。
【００２４】
なお、以下の説明では、管理機１の進行方向である矢印Ａの方向を「前方」としている。
【００２５】
管理機１は、前部にエンジン４が配置されており、エンジン４はエンジンフレーム５上に固定されている。そして、エンジン４の上部には、燃料タンク６が搭載されており、エンジンフレーム５の後部には、トランスミッションのミッションケース７が固設されている。
【００２６】
エンジン４の出力軸は、ミッションケース７の入力軸に、無端ベルトを介して動力が伝達され、この無端ベルト等は伝達ケース９により覆われている。
【００２７】
また、ミッションケース７下部には、車軸１１が支承されており、車軸１１の左右両端には、走行輪１２が固設されて走行駆動できるようにされている。
【００２８】
そして、ミッションケース７の上部には、ハンドル台２１が設けられており、ハンドル台２１上には、ハンドル２２が前後水平方向に回動することにより前後振り替え可能に配置されている。そして、ハンドル２２には、前後進切替の操作手段となる操作レバー２４、メインクラッチレバー２５、サイドクラッチレバー２６・２６等が配設されている。また、ハンドル台２１の後部には、前後振り替え可能に変速レバー２７が突出されている。なお、オペレータがハンドル２２から手を離さずに前記操作レバー２４の入力操作を行うようにするためには、図１に示すように該操作レバー２４をハンドル２２のグリップ２２ａの近傍に配設するのが好ましい。
【００２９】
また、ミッションケース７後部には、ヒッチ１３が後方に向けて突設されており、このヒッチ１３に追肥機３が装着されている。そして、ヒッチ１３の後部には、ツールバー７０が横設されており、このツールバー７０に繰出装置３０・３０と接地輪６０とが取り付けられて追肥機３が構成されている。また、追肥機３は、接地輪６０の回転により繰出部３１・３１が駆動されて施肥作業が行われるように構成されている。なお、本実施例においては、繰出装置３０は２台としているが、繰出装置３０の台数は２台に限定するものではない。
【００３０】
次に、追肥機３の繰出装置３０・３０について図２から図４を加えて説明する。繰出装置３０・３０は、ツールバー７０の左右に着脱可能に取り付けられている係止具７１・７１の後面に取り付けられている。なお、繰出装置３０・３０は、左右対称に構成されるものであるから、以下では一方の繰出装置３０について説明し、他方の繰出装置３０については説明を省略する。
【００３１】
繰出装置３０は、繰出部３１と、繰出部３１の上部に取り付けられている肥料ホッパー３４と、繰出部３１の下部に取り付けられている繰出パイプ３５とからなる。繰出部３１は、前繰出部３２と後繰出部３３とからなり、前繰出部３２と後繰出部３３とは、肥料ホッパー３４の下部に前後方向に配置されており、肥料ホッパー３４と前繰出部３２と後繰出部３３とは、装着具７２により一体的に固定されて、装着具７２を介して係止具７１の後面に取り付けられている。肥料ホッパー３４は、上部の蓋３４ａを開けて肥料を供給できるように構成されており、左右方向よりも前後方向に長く構成されている。なお、本実施例においては、肥料投入等の作業性を考慮して肥料ホッパー３４は前繰出部３２、後繰出部３３で共通としているが、前繰出部３２、後繰出部３３のそれぞれに別々の肥料ホッパーを設ける構成としてもよい。また、詳細については後述するが、繰出装置３０は、前繰出部３２、後繰出部３３のどちらか一方による一条施肥もしくは両方による二条施肥の切り替えができるように構成されている。
【００３２】
繰出パイプ３５は、肥料が付着しにくく、可撓式の変形自在な軟質部材であって、繰出部３１から繰り出された肥料を農作物の根元に案内し、吐出口から肥料を吐出するガイド体と、吐出口の吐出位置を調節する条間調節手段とを兼ねるものである。繰出パイプ３５は、前繰出パイプ３６と後繰出パイプ３７とからなり、それぞれ前繰出部３２、後繰出部３３の下部に、前ロート３８、後ロート３９を介して前後方向に取り付けられている。前繰出パイプ３６は、前繰出部３２から繰り出された肥料を農作物の根元に案内し、前吐出口３６ａから肥料を吐出し、後繰出パイプ３７は、後繰出部３３から繰り出された肥料を農作物の根元に案内し、後吐出口３７ａから肥料を吐出する。また、前繰出パイプ３６、後繰出パイプ３７は、係止具７１から後斜め下方に延出されている前繰出パイプ取付具４０、後繰出パイプ取付具４１先端の取付リングにそれぞれ内挿されて支持されている。前繰出パイプ取付具４０、後繰出パイプ取付具４１は、例えば金属製の棒状部材であって、先端が繰出パイプを内挿可能にリング状に形成されている。なお、本実施例においては、繰出パイプ３５がガイド体と条間調節手段を兼ねるようにしているが、ガイド体と条間調節手段とは、別々に構成してもよい。例えば、平面視において一方向に吐出口を傾斜させた漏斗を、繰出部３１の下部に回動可能に取り付けることにより、繰出部３１から繰り出された肥料を農作物の根元に案内するとともに、漏斗を回動させることにより、吐出口の吐出位置を調節して、条間を調節することができる。また、漏斗の吐出口に可動部分を持たせることにより、吐出口の吐出位置を調節し易くすることもできる。
【００３３】
また、前繰出部３２、後繰出部３３は、図３に示すように、それぞれ溝ロール式等の前繰出ロール３２ａ、後繰出ロール３３ａを備えている。前繰出ロール３２ａ、後繰出ロール３３ａの表面には、それぞれ繰出ロールの軸方向に前繰出ロール溝３２ｂ・３２ｂ・・・、後繰出ロール溝３３ｂ・３３ｂ・・・が複数形成されており、この溝に入り込んだ肥料のみが繰り出されるように構成されている。そして、前繰出ロール３２ａ、後繰出ロール３３ａは、それぞれ前繰出ロール軸３２ｃ、後繰出ロール軸３３ｃに固設されて、前繰出ロール軸３２ｃ、後繰出ロール軸３３ｃと一体的に回転するように構成されている。前繰出ロール軸３２ｃは、管理機１の左右方向の幅以上の長さに構成されており、左右の前繰出ロール３２ａ・３２ａが同一の軸に固設されている。そして、前述のように係止具７１・７１を介してツールバー７０の左右に着脱可能に取り付けられている繰出装置３０・３０は、前繰出ロール軸３２ｃの左右幅の範囲内で、繰出装置３０・３０の左右位置が変更される。また、詳細については後述するが、前繰出ロール軸３２ｃの中央部には、接地輪６０の回転により繰出部３１・３１を駆動するための前繰出ロール軸スプロケット３２ｇが抜き差し可能に設けられている。
【００３４】
そして、肥料ホッパー３４と、前繰出部３２、後繰出部３３との間には、施肥条数を切り替える切替手段となる前シャッター３２ｄ、後シャッター３３ｄがそれぞれ取り付けられている。前シャッター３２ｄは肥料ホッパー３４の前部に、後シャッター３３ｄは肥料ホッパー３４の後部に前後方向に抜き差し可能に取り付けられている。すなわち、前シャッター３２ｄ、後シャッター３３ｄを最大限差し込んだ状態において、肥料ホッパー３４から前繰出部３２、後繰出部３３には、肥料が供給されず、前シャッター３２ｄ、後シャッター３３ｄがそれぞれ引き出されることによって、肥料ホッパー３４と前繰出部３２、後繰出部３３が連通して、肥料ホッパー３４から前繰出部３２、後繰出部３３に肥料が供給される。なお、本実施例においては、シャッターは、前シャッター３２ｄ、後シャッター３３ｄの２枚としているが、シャッターは１枚とすることもでき、シャッターの枚数は、本実施例に限定するものではない。また、切替手段は、本実施例に示すシャッター方式に限定するものではなく、例えば、一方の繰出パイプ３５を他方の繰出パイプ３５に束ねる等することにより、二条施肥から一条施肥への切り替えが可能である。
【００３５】
また、前繰出部３２、後繰出部３３は、内部にそれぞれ豚毛等である前ブラシ３２ｅ、後ブラシ３３ｅを備えている。前ブラシ３２ｅは、前繰出部３２のケースの前面から、後ブラシ３３ｅは、後繰出部３３のケースの後面から、それぞれ前繰出部３２、後繰出部３３内に差し込まれて、前繰出ロール３２ａ、後繰出ロール３３ａの上方にブラシの先端が当接された状態に配設されている。これにより、前繰出ロール溝３２ｂ・３２ｂ・・・、後繰出ロール溝３３ｂ・３３ｂ・・・に入りきらない余分な肥料が、ロールが回転することにより前ブラシ３２ｅ、後ブラシ３３ｅにより取り除かれて、前繰出ロール３２ａ、後繰出ロール３３ａに入り込んだ肥料のみが繰り出されて前ロート３８、後ロート３９、前繰出パイプ３６、後繰出パイプ３７を介して施肥される。
【００３６】
このような構成によって、一つの繰出装置３０で二条施肥が可能となる。そして、前シャッター３２ｄ、後シャッター３３ｄを開閉させることにより、農作物の条数に応じて、施肥条数を容易に切り替えることができる。また、繰出パイプ３５が条間調節手段を兼ねることにより、条間調節手段を別に設ける必要がなく、繰出部３１から繰り出された肥料を農作物の根元に案内するとともに、農作物の根元に確実に施肥できる。
【００３７】
また、前述のように、本実施例においては、接地輪６０の回転により、繰出部３１・３１が駆動されて施肥作業が行われるように構成されている。すなわち、接地輪６０は、係止具を介してツールバー７０の略中央に取り付けられており、この係止具から支持フレーム６１が後方に延出されている。そして、支持フレーム６１の後部には、取付プレート６２の上部が軸支されており、取付プレート６２の下端は、支持フレーム６１の中途部から後斜め下方に延設された伝達ケース６３の中途部に軸支されている。また、伝達ケース６３の下部には、車輪軸６４が回動可能に支持されており、車輪軸６４には、車輪６５が外嵌固定されている。さらに、伝達ケース６３内の上部であって、前繰出ロール軸３２ｃの中央部には、前繰出ロール軸スプロケット３２ｇが固設されており、車輪軸６４に固設されているスプロケットと前繰出ロール軸スプロケット３２ｇとには、チェーンが巻回されている。これにより、管理機１の進行に伴い接地輪６０の車輪６５が回動されると、車輪軸６４に固設されているスプロケットが回動されて、伝達ケース６３内のチェーン、前繰出ロール軸スプロケット３２ｇを介して前繰出ロール軸３２ｃが駆動される。一方、前繰出ロール軸３２ｃ、後繰出ロール軸３３ｃには、連動機構を構成する前ギヤ３２ｆ、後ギヤ３３ｆがそれぞれ固設されており、前ギヤ３２ｆと後ギヤ３３ｆとが係合するように構成されている。つまり、接地輪６０からの駆動力は、前述したようにして前繰出ロール軸３２ｃに伝達され、さらに、前ギヤ３２ｆと後ギヤ３３ｆとが係合することにより、後繰出ロール軸３３ｃに伝達される。
【００３８】
これにより、管理機１が前進すると、接地論６０の車輪６５が連動して回転し、車輪６５→車輪軸６４→車輪軸スプロケット→チェーン→前繰出ロール軸スプロケット３２ｇ→前繰出ロール軸３２ｃを経て、前繰出ロール３２ａが反時計回りに回転されることにより、前繰出ロール３２ａにより肥料が繰り出される。そして、前繰出ロール軸３２ｃ→前ギヤ３２ｆ→後ギヤ３３ｆ→後繰出ロール軸３３ｃを経て、後繰出ロール３３ａが時計周りに回転されることにより、後繰出ロール３３ａにより肥料が繰り出される。
【００３９】
このような構成によって、走行速度に同調して繰り出すことができるため、均一に施肥することができる。そして、全ての繰出部３１・３１の繰出量を均等にすることができることにより、均一に施肥することができる。また、前繰出部３２、後繰出部３３のそれぞれに駆動手段を設ける必要がないため経済的である。
【００４０】
そして、肥料ホッパー３４・３４は、前述のように前後方向に長く構成され、繰出装置３０・３０は、左右方向に間隔変更可能に配置されている。図４に示すように、従来の施肥機１０３では、繰出装置１３０・１３０の肥料ホッパー１３４・１３４の容量を大きくするために、肥料ホッパー１３４・１３４を左右方向に長くしていた。しかし、肥料ホッパー１３４・１３４を左右方向に長く構成して容量を大きくする場合、左右の肥料ホッパー１３４・１３４の間隔が狭くなるため、管理機１０１の種類によっては、ハンドル１２２等が干渉して、追肥機１０３を装着できないことがある。そして、追肥機１０３の装着を考慮することにより、管理機１０１のハンドル１２２やトランスミッション等の配置の自由度が制限されることにもなる。また、肥料ホッパー１３４・１３４を左右方向に長く構成して容量を大きくする場合でも、繰出装置の配置間隔を広げることにより、管理機への装着性を高めることは可能である。しかし、この場合、繰出部１３１・１３１が管理機１０１本機から離れることになるため、農作物の根元に施肥するために、繰出部１３１・１３１の下部に取り付けられている繰出パイプ１３５・１３５を長くする必要があるが、繰出パイプ１３５・１３５を長くすると繰出パイプ１３５・１３５内で肥料が詰まる等して肥料の流れが悪くなる可能性が高くなる。そこで、図１、図２に示すように、肥料ホッパー３４・３４を前後方向に長く構成し、繰出装置３０・３０を左右方向に間隔変更可能に配置した。
【００４１】
このような構成によって、肥料ホッパー３４・３４の大容量化が図れるとともに、管理機１の種類を選ばずに装着できる。そして、管理機１のハンドル２２やトランスミッション等の配置の自由度が制限されることがない。また、繰出部３１・３１が管理機１本機から離れることがなく、前繰出パイプ３６、後繰出パイプ３７を長くする必要がないため、肥料の繰出性能を阻害することがない。
【００４２】
また、本発明に係る追肥機は、次のように構成することもできる。なお、繰出装置３０・３０の構成は、前述の実施例と同様である。すなわち、図５に示すように、追肥機２０３は、繰出装置３０・３０と接地輪６０・６０とを左右一対に有し、接地輪６０・６０を畝の左右両側の溝に車輪６５・６５が位置するように間隔変更可能に配置している。接地輪６０・６０は、例えば、ボルト等により係止具を介してツールバー７０の左右両側に取り付けられている。このため、畝幅に応じて接地輪６０・６０の間隔を変更することにより、接地輪６０・６０の車輪６５・６５を畝の左右両側の溝に位置させることができる。
【００４３】
そして、前繰出ロール軸３２ｃは、前述のように管理機２０１の左右方向の幅以上の長さに構成されており、左右の前繰出ロール３２ａ・３２ａが同一の軸に固設されている。また、接地輪６０・６０からの駆動力は、前述したようにして前繰出ロール軸３２ｃに伝達され、さらに、前ギヤ３２ｆと後ギヤ３３ｆとが係合することにより、後繰出ロール軸３３ｃに伝達される。つまり、繰出装置３０・３０は、左右どちらか一方の接地輪６０が回転することにより、繰出部３１・３１が駆動するように構成されている。このため、走行中に追肥機２０３が左右に傾いた場合、一方の接地輪６０が浮き上がっても、他方の接地輪６０が圃場に接地していれば、繰出装置３０・３０は停止することなく、施肥作業が中断されることがない。
【００４４】
また、管理機２０１は、走行輪２１２・２１２を左右一対に有し、走行輪２１２・２１２は、畝の左右両側の溝に位置するように間隔変更が可能であるとともに、走行輪２１２・２１２の車軸２１１を畝高よりも高い位置に配置している。走行輪２１２・２１２は、本実施例においては、鉄車輪であり、車軸２１１の左右両側に左右位置が変更可能に取り付けられている。走行輪２１２・２１２は、例えば、走行輪２１２の中心に設けられている取付孔を介して、車軸２１１に挿入されて、ボルト等により車軸２１１の任意の位置で固定される。このため、畝幅に応じて走行輪２１２・２１２の間隔を変更することにより、走行輪２１２・２１２を畝の左右両側の溝に位置させることができる。
【００４５】
なお、前繰出ロール軸３２ｃ、ツールバー７０、車軸２１１の長さは、施肥の対象である畝の畝幅以上とする必要がある。また、これらの長さは限定するものではないが、長い方がより幅の広い畝にも対応できる。
【００４６】
このような構成によって、走行速度に同調して繰り出すことができるため、均一に施肥することができるとともに、追肥機２０３を管理機２０１に装着して、畝を跨いで走行することができるため、走行輪１１２や接地輪６０により畝を踏みつけたり、管理機２０１や追肥機２０３の下部が畝に接触したりして畝をつぶすことがない。例えば、畝が高い場合や広い場合、また、農作物の背が高い場合でも施肥作業が可能である。なお、本実施例においては、繰出装置３０は２台としているが、繰出装置３０の台数は２台に限定するものではない。例えば、繰出装置３０は１台でもよい。
【図面の簡単な説明】
【００４７】
【図１】本発明に係る追肥機を管理機に装着した状態を示した側面図。
【図２】本発明に係る追肥機の繰出装置の配置を模式的に示した平面図。
【図３】繰出部を示した側面図。
【図４】従来の追肥機の繰出装置の配置を模式的に示した平面図。
【図５】本発明に係る別実施例の追肥機を管理機に装着した状態を示した斜視図。
【符号の説明】
【００４８】
１    管理機
３    追肥機
１１    車軸
１２    走行輪
３０    繰出装置
３１    繰出部
３２    前繰出部
３２ｄ    前シャッター
３３    後繰出部
３３ｄ    後シャッター
３４    肥料ホッパー
３５    繰出パイプ
３６    前繰出パイプ
３６ａ    前吐出口
３７    後繰出パイプ
３７ａ    後吐出口
６０    接地輪
６５    車輪
２０１    管理機
２０３  追肥機
２１１  車軸
２１２    走行輪
【図１】
0004728145.tif 000002
【図２】
0004728145.tif 000003
【図３】
0004728145.tif 000004
【図４】
0004728145.tif 000005
【図５】
0004728145.tif 000006